(57)【要約】      （修正有）【課題】側網の重複による無駄が生じず、それにより製造コスト・運搬コストの低減を図ることができ、取り扱い性・作業性をより高め、しかも高い強度の得られる、ドレンカゴを提供する。【解決手段】ドレンカゴ１０は、底網２と側網３Ａ、３Ｂ、・・・とを備えてなり、側面のうち一方向が側網の設けられていない開放端部８であり、開放端部８には、本ドレンカゴ１０と同一形態である別の本ドレンカゴを連結可能である。連結には連結構造９を用いてもよい。なお開放端部８に対向する面には、側網３Ｃが設けられている。底網２および側網３Ａ、３Ｂ、・・・は溶接金網製またはエキスパンドメタル製とすることができる。【選択図】図１
2013044113.tif 000002
【特許請求の範囲】
【請求項１】
底網と側網とを備えてなるドレンカゴであって、側面のうち一方向以上が該側網の設けられていない開放端部であり、該開放端部には別の本ドレンカゴを連結可能である、ドレンカゴ。
【請求項２】
底網と側網とを備えてなるドレンカゴであって、側面のうち一方向が該側網の設けられていない開放端部であり、該開放端部には別の本ドレンカゴを連結可能である、ドレンカゴ。
【請求項３】
底網と側網とを備えてなるドレンカゴであって、該側網のうち排水方向に面する上下いずれか一方が仕切用の側網の設けられていない開放端部であり、該開放端部には別の本ドレンカゴを連結可能である、ドレンカゴ。
【請求項４】
底網と側網とを備えてなるドレンカゴであって、該側網のうち排水方向に対し交差する方向に面する左右いずれか一方が仕切用の側網の設けられていない開放端部であり、該開放端部には別の本ドレンカゴを連結可能である、ドレンカゴ。
【請求項５】
底網と側網とを備えてなるドレンカゴであって、側面のうち二方向が該側網の設けられていない開放端部であり、該開放端部には別の本ドレンカゴを連結可能である、ドレンカゴ。
【請求項６】
前記底網および側網は溶接金網製またはエキスパンドメタル製であることを特徴とする、請求項１ないし５のいずれかに記載のドレンカゴ。
【請求項７】
前記連結構造は、前記開放端部に形成された屈曲形状の構造であることを特徴とする、請求項１ないし６のいずれかに記載のドレンカゴ。
【請求項８】
前記連結構造は前記開放端部に形成されたフック状の構造であることを特徴とする、請求項１ないし６のいずれかに記載のドレンカゴ。
【請求項９】
前記屈曲形状は、これと前記別のドレンカゴの連結用部位とによって連結用の部材を挟み込めるように形成されていることを特徴とする、請求項７に記載のドレンカゴ。
【発明の詳細な説明】
【技術分野】
【０００１】
本発明は内部に石を詰めて各種土木作業において使用するドレンカゴに係り、特に強度に優れ、作業性にも優れる、新規なドレンカゴに関するものである。
【背景技術】
【０００２】
ドレンカゴは、雪解け時の斜面の崩落を防止したい場合等、法面もしくは後背地から発生する湧水による法面土砂の侵食を防止するために使用されているが、その機能・効果は、これが敷設される法面を面的な排水構造にすることである。
【０００３】
図５は、従来のドレンカゴの構造および使用態様を示す側面視の説明図である。図示するように従来はたとえば、現場で、シート状の菱形金網を使い、これを折り曲げたり、起こしたりして単独箱状のドレンカゴ６１０を組み立て、その中に所定の石を投入し、投入後、菱形金網の上蓋６１（蓋網）を被せ、メッキ線等で周囲を結束することで形成されるドレンカゴ６１０が結束線やコイル等の方法によって連結されて、最終的に敷設される。
【０００４】
なおドレンカゴについては従来、技術的な提案もなされている。たとえば特許文献１に開示されている技術は、ドレンカゴの部品点数を減らして製品コストを削減することを目的として、ドレンカゴの底網と側網の共通骨線に、側網に対して略直角を呈するカール部を設けるというものである。これにより、カール部の外側部分で人力により骨線を容易に曲げることができるため、コイル材を用いるまでもなく、側網を簡単に立ち上げて成形できるとしている。
【先行技術文献】
【特許文献】
【０００５】
【特許文献１】実用新案登録第３１３３９３７号公報「ドレン篭」
【発明の概要】
【発明が解決しようとする課題】
【０００６】
しかしながら、上記文献に開示されている技術も含め、従来のドレンカゴには問題があった。すなわち従来のドレンカゴは、四つの側面方向全てに側網が設けられた箱状の形態であって、これを所定個数用いて一列になるよう設置するのであるが、設置する面においては、二つのドレンカゴの側網が重複してしまい、無駄が生じている。これは、製造コスト・運搬コストにも影響する。
【０００７】
また、たとえば入れ子式に複数のドレンカゴをまとめておきたい際にまとめられる数が制限されるなど、取り扱い性にも影響があり、このことは現場での敷設作業時における作業性にも影響する。さらに、従来のドレンカゴは通常、菱形金網で製作されているが、これは決して十分な強度を備えているとはいえず、敷設作業においても、また法面保護機能の点からも、より高い強度のものとすることが求められている。以上述べた従来の状況・問題点は、上記文献開示技術によっても何ら着目されておらず、当然ながら解決できるものでもない。
【０００８】
そこで本発明が解決しようとする課題は、かかる従来技術の問題点を踏まえ、側網の重複による無駄が生じず、それにより製造コスト・運搬コストの低減を図ることができ、取り扱い性・作業性をより高め、しかも高い強度の得られる、ドレンカゴを提供することである。
【課題を解決するための手段】
【０００９】
本願発明者は上記課題について検討した結果、ドレンカゴの側面のうち一方向において該側網が設けられておらず開放されている開放端部、または一方向以上が該側網の設けられていない開放端部を設けた構造とし、さらに材料に溶接金網を用いることに基づいて課題解決が可能であることに想到し、本発明に至った。すなわち、上記課題を解決するための手段として本願で特許請求される発明、もしくは少なくとも開示される発明は、以下の通りである。
【００１０】
（１）  底網と側網とを備えてなるドレンカゴであって、側面のうち一方向以上が該側網の設けられていない開放端部であり、該開放端部には別の本ドレンカゴを連結可能である、ドレンカゴ。
（２）  底網と側網とを備えてなるドレンカゴであって、側面のうち一方向が該側網の設けられていない開放端部であり、該開放端部には別の本ドレンカゴを連結可能である、ドレンカゴ。
（３）  底網と側網とを備えてなるドレンカゴであって、該側網のうち排水方向に面する上下いずれか一方が仕切用の側網の設けられていない開放端部であり、該開放端部には別の本ドレンカゴを連結可能である、ドレンカゴ。
（４）  底網と側網とを備えてなるドレンカゴであって、該側網のうち排水方向に対し交差する方向に面する左右いずれか一方が仕切用の側網の設けられていない開放端部であり、該開放端部には別の本ドレンカゴを連結可能である、ドレンカゴ。
（５）  底網と側網とを備えてなるドレンカゴであって、側面のうち二方向が該側網の設けられていない開放端部であり、該開放端部には別の本ドレンカゴを連結可能である、ドレンカゴ。
【００１１】
（６）  前記底網および側網は溶接金網製またはエキスパンドメタル製であることを特徴とする、（１）ないし（５）のいずれかに記載のドレンカゴ。
（７）  前記連結構造は、前記開放端部に形成された屈曲形状の構造であることを特徴とする、（１）ないし（６）のいずれかに記載のドレンカゴ。
（８）  前記連結構造は前記開放端部に形成されたフック状の構造であることを特徴とする、（１）ないし（６）のいずれかに記載のドレンカゴ。
（９）  前記屈曲形状は、これと前記別のドレンカゴの連結用部位とによって連結用の部材を挟み込めるように形成されていることを特徴とする、（７）に記載のドレンカゴ。
【発明の効果】
【００１２】
本発明のドレンカゴは上述のように構成されるため、これによれば、側網の重複による無駄が生じず、それにより製造コスト・運搬コストの低減を図ることができる。また、取り扱い性や作業性をより高めることができる。また本発明ドレンカゴによれば、高い強度を得ることができる。
【００１３】
また、溶接金網製のドレンカゴとすることによって、従来よりも強度を高めることができるため、敷設作業もしやすく、また法面保護機能も高めることができる。
【００１４】
また本発明によれば、屋外の、しかも風・雨・雪といった自然条件の影響を直接受ける状況での作業となるドレンカゴの敷設作業の苦労、過酷さを、根本的に解消することができる。またこのことは、上述のとおり作業効率を大いに向上させ、作業性を高めることに直接つながり、工期を短縮させることができ、その後の作業や工程を加速することができ、ひいては工事目的の構造物等における生産・製造活動の開始を、早めることができる。
【００１５】
また本発明による作業労力軽減効果の改善は、かかる作業に従事することの多い老年者・高齢者にとっては特に喜ばれることであり、人に優しい、人間性重視の生産活動の一つとしても、大いに意義を有するものである。
【図面の簡単な説明】
【００１６】
【図１】本発明ドレンカゴの基本的構成を示す斜視の説明図である。
【図１−２】本発明ドレンカゴの使用例を示す側面視の説明図である。
【図１Ｐ】本発明ドレンカゴの別の構成例について示す説明図である。
【図１Ｑ】図１Ｐのドレンカゴの使用例を示す平面視の説明図である。
【図１Ｒ】本発明ドレンカゴの別の構成例について示す説明図である。
【図１Ｓ】図１Ｒのドレンカゴの使用例を示す平面視の説明図である。
【図１Ｔ】図１Ｒのドレンカゴの別の使用例を示す平面視の説明図である。
【図２】本発明ドレンカゴの連結構造の構成例を示す説明図である。
【図３】本発明ドレンカゴの連結構造の別の構成例を示す説明図である。
【図４】本発明ドレンカゴの連結構造のまた別の構成例を示す説明図である。
【図５】従来のドレンカゴの構造および使用態様を示す側面視の説明図である。
【発明を実施するための形態】
【００１７】
以下、図面により本発明を詳細に説明する。
図１は、本発明ドレンカゴの基本的構成を示す斜視の説明図である。図示するように本ドレンカゴ１０は、底網２と側網３Ａ、３Ｂ、・・・とを備えてなり、側面のうち一方向が側網の設けられていない開放端部８であり、開放端部８には別の本ドレンカゴ１０を連結可能であることを、主たる構成とする。なお、開放端部８に対向する面には、側網（図では側網３Ｃ）が設けられている構成である。
【００１８】
なお図では、開放端部８に本ドレンカゴ１０と同一形態である別の本ドレンカゴと連結するための連結構造９が設けられた構成を示しており、また以降の説明で連結構造９を含めて述べるが、これは本発明に必要な構成ではなく、あくまでも別のドレンカゴ１０を連結する方法の一例である。つまり、本ドレンカゴ１０においては敢えて連結構造９を設ける必要はなく、たとえば結束線やコイル等の適宜の方法を用いてドレンカゴ同士を連結することができる。また、連結構造を設ける場合であっても、本図はその一例を図示したものであり、具体的形状、設置位置、設置数はこれに限定されない。この点は以下図１Ｔまでも同様である。また、後述する図２〜４では、特に連結構造を設けることとした場合の構成例を示すが、これらにおいても具体的形状、設置位置、設置数が図示する例に限定されない点、同様である。
【００１９】
かかる構成により本ドレンカゴ１０においては、四つの側面のうち一方向が側網の設けられていない開放端部８であってその対向面に側網３Ｃが設けられているため、側網は全部で三方向（３Ａ、３Ｂ、３Ｃ）に設けられ、従来のドレンカゴと比較して側網が一面分少ない。したがって、本ドレンカゴ１０を連結する場合、一方のドレンカゴ１０における開放端部８と、他方のドレンカゴ１０における側網３Ｃでもって連結を行うが、このときに二つのドレンカゴの側網が重複することがなく、従来のような無駄が生じない。
【００２０】
つまり、一方のドレンカゴの開放端部における仕切りと、他方のドレンカゴの対向面部における仕切りとが共通する構造となるため、仕切り用の側網（仕切り網）が一枚少なくて済む。これにより、ドレンカゴ単体としてはコスト低減にならないとしても、結局総合的にはコスト低減につながる。また、運搬コストの低減につながる。
【００２１】
なおドレンカゴ１０、１０同士の連結は、一方のドレンカゴ１０の開放端部８に設けられた連結構造９を、他方のドレンカゴ１０の側網３Ｃに対して連結させることにより、行うことができる。連結構造の具体的な例については、追って説明する。
【００２２】
また、図においては、排水方向Ｄと同一方向上に開放端部８および対向面の側網３Ｃが面した構成を示している。しかしながら本発明はこれに限定されず、後述するように排水方向Ｄに交差する方向上に開放端部８および対向面の側網３Ｃが面した構成をとることとしてもよい。つまり、本発明ドレンカゴ１０における連結は、排水方向Ｄに対していわば直列になされることも、また並列になされることもできる。したがって、目的に応じた連結体の形成が可能である。
【００２３】
なおまた、図示するドレンカゴ１０は、排水方向Ｄ同一方向が長手となる形態であるが、本発明はこれにも限定されず、排水方向Ｄに交差する方向が長手となる形態のドレンカゴとすることもできる。したがって、目的に応じた連結体の形成が可能である。
【００２４】
図１−２は、本発明ドレンカゴの使用例を示す側面視の説明図である。図示するように本ドレンカゴ１１０は、底網１２と側網１３Ａ、１３Ｃ等とを備えてなり、側網のうち排水方向Ｄに面する上下いずれか一方が仕切用の側網の設けられていない開放端部１８であり、開放端部１８には別の本ドレンカゴ１１０を連結可能であることを、特徴的構成とする。なお図では、開放端部１８に本ドレンカゴ１１０と同一形態である別の本ドレンカゴと連結するための連結構造１９が設けられた構成を示し、以降の説明もこれを含めて行うが、連結構造が本発明に必要な構成でなく、あくまでも連結方法の一例にすぎないことは、上述の図１を用いた説明と同様である。
【００２５】
かかる構成により本ドレンカゴ１１０においては、四つの側面のうち一方向が側網の設けられていない開放端部１８であってその対向面に側網１３Ｃが設けられているため、側網は全部で三方向に設けられ、従来のドレンカゴと比較して側網が一面分少ない。したがって、本ドレンカゴ１１０を連結する場合、一方のドレンカゴ１１０における開放端部１８と、他方のドレンカゴ１１０における側網１３Ｃでもって連結構造１９により連結を行うが、このときに二つのドレンカゴ１１０、１１０の側網が重複することがなく、従来のような無駄が生じない。つまり、下段のカゴ１１０における上部仕切りと、上段のカゴにおける下部仕切りが共通するため、仕切り網が一枚少なくて済む。
【００２６】
したがって、図１を用いて説明した本発明ドレンカゴ１０と同じ作用・効果を得ることができる。また、ドレンカゴ１１０、１１０同士の連結が、一方のドレンカゴ１１０の開放端部１８に設けられた連結構造１９を、他方のドレンカゴ１１０の側網１３Ｃに対して連結させることにより行われることも、同じである。なお、本図１−２に示す例の本発明ドレンカゴ１１０は、ドレンカゴ１１０同士の連結が排水方向Ｄと同一方向上に連結される、直列型である。このように本ドレンカゴ１１０によれば、最終形態である連結体は、単体のドレンカゴ１１０同士を直列に連続的に連結することによって組み立てられる。
【００２７】
ドレンカゴ１１０の連結体には、菱形金網製等の上蓋（蓋網）１１が被せられ、最後にメッキ線等により結束され、また必要に応じて連結した末端のドレンカゴに単体の側網（図示せず）が取り付けられメッキ線等により結束されて、敷設作業全体が完了する。なお、図では単体のドレンカゴ１１０ごとに蓋網１１が取り付けられる構成であるが、本発明はこれに限定されない。つまり、単体のドレンカゴ１１０の２個以上に亘ってその上面を被覆できる蓋網としてもよい。もちろん、最終的に形成されるドレンカゴの連結体の上面全部を被覆できる蓋網でもよい。
【００２８】
本発明ドレンカゴは、その底網および側網を、溶接金網製またはエキスパンドメタル製とすることができる。これらの材料によれば、従来の菱形金網製のドレンカゴと比べてカゴ全体が堅固になり、耐久性にも優れ、敷設作業時においても作業性がよく、堅牢な連結体として敷設することができる。なお、蓋網にも溶接金網やエキスパンドメタルを用いることができる。もちろん、従来の菱形金網を用いることもできる。
【００２９】
図１Ｐは、本発明ドレンカゴの別の構成例について示す説明図である。また、
図１Ｑは、図１Ｐのドレンカゴの使用例を示す平面視の説明図である。これらに示すように本例のドレンカゴＰ１０は、底網Ｐ２と側網Ｐ３Ａ、Ｐ３ＢおよびＰ３Ｃとを備えてなるものであって、側網Ｐ３Ａ等のうち排水方向に対し交差する方向に面する左右いずれか一方が仕切用の側網の設けられていない開放端部Ｐ８であり、開放端部Ｐ８には別の本ドレンカゴＰ１０を連結可能であることを、主たる構成とする。
なお図では、開放端部Ｐ８に本ドレンカゴＰ１０と同一形態である別の本ドレンカゴと連結するための連結構造Ｐ９が設けられた構成を示し、以降の説明もこれを含めて行うが、連結構造が本発明に必要な構成でなく、あくまでも連結方法の一例にすぎないことは、上述の各説明と同様である。
【００３０】
かかる構成により本ドレンカゴＰ１０においては、四つの側面のうち一方向が側網の設けられていない開放端部Ｐ８であってその対向面に側網Ｐ３Ｃが設けられているため、側網は全部で三方向に設けられ、従来のドレンカゴと比較して側網が一面分少ない。したがって、本ドレンカゴＰ１０を排水方向に対し交差する方向に連結する場合、一方のドレンカゴＰ１０における開放端部Ｐ８と、他方のドレンカゴＰ１０における側網Ｐ３Ｃでもって連結構造Ｐ９により連結を行うが、このときに二つのドレンカゴＰ１０、Ｐ１０の側網が重複することがなく、従来のような無駄が生じない。つまり、カゴＰ１０における一方側方の仕切りと、これに連結されるカゴＰ１０における他方側方の仕切りが共通するため、上述の各本発明ドレンカゴと同じ作用・効果を得ることができる。
【００３１】
また、ドレンカゴＰ１０、Ｐ１０同士の連結が、一方のドレンカゴＰ１０の開放端部Ｐ８に設けられた連結構造Ｐ９を、他方のドレンカゴＰ１０の側網Ｐ３Ｃに対して連結させることにより行われることも、同じである。なお、本図に示す例の本発明ドレンカゴＰ１０は、ドレンカゴＰ１０同士の連結が排水方向に対し交差する方向と同一方向上に連結される、並列型である。このように本ドレンカゴＰ１０によれば、最終形態である連結体は、単体のドレンカゴＰ１０同士を並列に連続的に連結することによって組み立てられる。
【００３２】
ドレンカゴＰ１０の連結体には、菱形金網製等の上蓋（蓋網）Ｐ１が被せられ、最後にメッキ線等により結束され、また必要に応じて連結した末端のドレンカゴに単体の側網Ｐ６が取り付けられメッキ線等により結束されて、敷設作業全体が完了する。なお、図１Ｐでは単体のドレンカゴＰ１０ごとに蓋網Ｐ１が取り付けられる構成であるが、本発明はこれに限定されない。つまり、単体のドレンカゴＰ１０の２個以上に亘ってその上面を被覆できる蓋網としてもよい。もちろん、最終的に形成されるドレンカゴの連結体の上面全部を被覆できる蓋網でもよい。なおまた、溶接金網やエキスパンドメタルを材料として使用可能であることも、上述の例と同様である。
【００３３】
図１Ｒは、本発明ドレンカゴの別の構成例について示す説明図である。また、
図１Ｓは、図１Ｒのドレンカゴの使用例を示す平面視の説明図、図１Ｔは、図１Ｒのドレンカゴの別の使用例を示す平面視の説明図である。これらに示すように本例のドレンカゴＲ１０は、底網Ｒ２と側網Ｒ３Ａ、Ｒ３ＢおよびＲ３Ｃとを備えてなるものであって、側面のうち二方向が側網の設けられていない開放端部Ｒ８Ａ、Ｒ８Ｂであり、開放端部Ｒ８Ａ、Ｒ８Ｂには別の本ドレンカゴＲ１０と連結するための連結構造Ｒ９が設けられていることを、主たる構成とする。
【００３４】
かかる構成により本ドレンカゴＲ１０においては、四つの側面のうち二方向が側網の設けられていない開放端部Ｒ８Ａ、Ｒ８Ｂであって、それぞれの対向面に側網Ｒ３Ａ、Ｒ３Ｂが設けられているため、側網は全部で二方向に設けられ、従来のドレンカゴと比較して側網が二面分も少ない。したがって、図１Ｓに示すように本ドレンカゴＲ１０を排水方向に連結する場合にも、また図１Ｔに示すように排水方向に対し交差する方向に連結する場合にも、一方のドレンカゴＲ１０における開放端部Ｒ８Ａ等と、他方のドレンカゴＲ１０における側網Ｒ３Ａ等でもって連結構造Ｒ９により連結を行うが、このときに二つのドレンカゴＲ１０、Ｒ１０の側網が重複することがなく、従来のような無駄が生じない。
【００３５】
つまり、カゴＲ１０における一方の仕切りと、これに連結されるカゴＲ１０における他方の仕切りが共通するため、仕切り網が一枚少なくて済み、上述の各本発明ドレンカゴと同じ作用・効果を得ることができる。なお、ドレンカゴＰ１０、Ｐ１０同士の連結方法等については、上述の本発明各例と同様である。
【００３６】
図１Ｓに示す使用例は、ドレンカゴＲ１０同士の連結が排水方向と同一方向上に連結される、直列型である。ドレンカゴＲ１０の連結体には、菱形金網製等の上蓋（蓋網）Ｒ１が被せられてメッキ線等により結束され、開放端部（Ｒ８Ｂ）には単体の側網Ｒ６が取り付けられメッキ線等により結束され、また必要に応じて連結した末端のドレンカゴＲ１０の開放端部（Ｒ８Ａ）には単独の側網Ｒ７が取り付けられメッキ線等により結束されて、敷設作業全体が完了する。なおまた、溶接金網やエキスパンドメタルを材料として使用可能であることも、上述の各例と同様である。
【００３７】
なお図１Ｓに示すように、単体のドレンカゴＲ１０ごとに取り付けられる構成の単独の側網Ｒ６に替えて、最終的に形成されるドレンカゴの連結体の末端側面全部を被覆できる単独の側網Ｒ６Ｌを用いてもよい。もちろん、単体のドレンカゴＲ１０の２個以上に亘ってその末端側面を被覆できる蓋網としてもよい。
【００３８】
図１Ｔに示す使用例は、ドレンカゴＲ１０同士の連結が排水方向に対し交差する方向と同一方向上に連結される、並列型である。ドレンカゴＲ１０の連結体には、菱形金網製等の上蓋（蓋網）Ｒ１が被せられてメッキ線等により結束され、開放端部（Ｒ８Ａ）には単体の側網Ｒ７が取り付けられメッキ線等により結束され、また必要に応じて連結した末端のドレンカゴＲ１０の開放端部（Ｒ８Ｂ）には単独の側網Ｒ６が取り付けられメッキ線等により結束されて、敷設作業全体が完了する。なおまた、溶接金網やエキスパンドメタルを材料として使用可能であることも、上述の各例と同様である。
【００３９】
なお図１Ｓに示すように、単体のドレンカゴＲ１０ごとに取り付けられる構成の単独の側網Ｒ７に替えて、最終的に形成されるドレンカゴの連結体の末端面全部を被覆できる単独の側網Ｒ７Ｌを用いてもよい。もちろん、単体のドレンカゴＲ１０の２個以上に亘ってその末端面を被覆できる蓋網としてもよい。
【００４０】
なお、図１Ｓ、図１Ｔに示す使用方法の如何に関わらず、図１Ｒに示すように本例においては、単体のドレンカゴＲ１０ごとに蓋網Ｒ１が取り付けられる構成であるが、本発明はこれに限定されない。つまり、単体のドレンカゴＲ１０の２個以上に亘ってその上面を被覆できる蓋網としてもよい。もちろん、最終的に形成されるドレンカゴの連結体の上面全部を被覆できる蓋網でもよい。
【００４１】
なおまた、本発明では、図１Ｓ、図１Ｔに示した直列、並列型を併用してもよい。つまり、上下方向および左右方向の両方向にドレンカゴＲ１０を適宜必要な数連結して最終的なドレンカゴの連結体とすることも可能である。このことは本例に限らず、上述した本発明各例においても同様である。
【００４２】
図１Ｓ、図１Ｔに示した本発明例のドレンカゴＲ１０は、開放端部が二箇所設けられた構成であるため、敷設時に必要な単体の側網がその分多くなるため、ドレンカゴ単体としてはコスト低減にならないとしても、結局総合的にはコスト低減につながる。また、運搬コストの低減にもつながる。さらにかかる構成により、たとえば入れ子式に複数のドレンカゴをまとめておきたい場合にまとめられる数を、図１等で示した例よりもさらに多くすることができ、取り扱い性がさらに向上する。
【００４３】
図２は、本発明ドレンカゴの連結構造の構成例を示す説明図である。図示するように本ドレンカゴ２１０の連結構造２９は、開放端部２８に形成された屈曲形状の構造である。なお、図中の開放端部２８は厳密な位置ではなく、連結構造２９が設けられているのが開放端部２８であるという程度のことを示すものである。
【００４４】
かかる構成により本ドレンカゴ２１０は、一方のドレンカゴ２１０の開放端部２８に設けられた屈曲形状の連結構造２９の屈曲部位が、他方のドレンカゴ２１０の開放端部対向面をなす側網２３Ｃに対して係止され、これにより両者の連結がなされる。このように簡単な操作によって、両ドレンカゴを連結することができる。
【００４５】
図３は、本発明ドレンカゴの連結構造の別の構成例を示す説明図である。図示するように本ドレンカゴ３１０の連結構造３９は、開放端部３８に形成されたフック状の構造とすることができる。かかる構成により本ドレンカゴ３１０は、一方のドレンカゴ３１０の開放端部３８に設けられたフック状の連結構造３９の屈曲部位が、他方のドレンカゴ３１０の開放端部対向面をなす側網３３Ｃに対して、被係止部３６により係止され、これにより両者の連結がなされる。このように簡単な操作によって、両ドレンカゴを連結することができる。
【００４６】
なお被係止部３６は、ドレンカゴ３１０の側網３３Ｃを構成する網線など、ドレンカゴ自体に元々存在する構造が該当する。しかしそれに限定されず、両ドレンカゴ連結の際に用いられる別の部材を被係止部３６とすることもできる。それについて、説明する。
【００４７】
図４は、本発明ドレンカゴの連結構造のまた別の構成例を示す説明図である。図示するように本ドレンカゴ４１０の連結構造４９は、その屈曲形状が、連結対象である別のドレンカゴ４１０の連結用部位４６との間で、連結用の部材４５を挟み込めるように形成されていることを、特徴的な構成とする。
【００４８】
かかる構成により本ドレンカゴ４１０は、一方のドレンカゴ４１０に設けられた屈曲形状の連結構造４９の屈曲部位と、他方のドレンカゴ４１０の側網４３Ｃの連結用部位４６との間に、連結用の部材４５が挟み込まれる(挿入される）ことによって、両ドレンカゴの連結がなされる。なお、連結用の部材４５としては、挟み込まれた状態を維持できる物性を備えたものであれば、材質も形状その他の仕様も特に限定されずに用いることができる。
【産業上の利用可能性】
【００４９】
本発明のドレンカゴによれば、側網の重複による無駄が生じず、それにより製造コスト・運搬コストの低減を図ることができ、取り扱い性や作業性をより高め、高い強度を得ることができる。また本発明は、作業に従事することの多い老年者・高齢者にとっては特に喜ばれ、人に優しい、人間性重視の生産活動の一つとしても、大いに意義を有するものである。
したがって、関連する全ての産業分野において産業上利用性が高い発明である。
【符号の説明】
【００５０】
１、１１、Ｐ１、Ｒ１…蓋網
２、１２、Ｐ２、Ｒ２…底網
３Ａ、３Ｂ、３Ｃ、１３Ａ、１３Ｃ、Ｐ３Ａ、Ｐ３Ｂ、Ｐ３Ｃ、Ｒ３Ａ、Ｒ３Ｂ、２３Ｃ、３３Ｃ、４３Ｃ…側網
８、１８、Ｐ８、Ｒ８Ａ、Ｒ８Ｂ、２８、３８…開放端部
９、１９、Ｐ９、Ｒ９、２９、３９…連結構造
１０、１１０、Ｐ１０、Ｒ１０、２１０、３１０、４１０…ドレンカゴ
３６…被係止部
４５…連結用の部材
４６…連結用部位
Ｄ…排水方向
Ｐ６、Ｒ６、Ｒ６Ｌ、Ｒ７、Ｒ７Ｌ…単体の側網
６１…上蓋（蓋網）
６１０…ドレンカゴ
【図１】
2013044113.tif 000003
【図１−２】
2013044113.tif 000004
【図１Ｐ】
2013044113.tif 000005
【図１Ｑ】
2013044113.tif 000006
【図１Ｒ】
2013044113.tif 000007
【図１Ｓ】
2013044113.tif 000008
【図１Ｔ】
2013044113.tif 000009
【図２】
2013044113.tif 000010
【図３】
2013044113.tif 000011
【図４】
2013044113.tif 000012
【図５】
2013044113.tif 000013